(57)【要約】【課題】上着に装着される装飾用襟布にしわや形崩れが生じず、違和感なく装飾性を高めるようにする。【解決手段】装飾用襟布１０は、帯状の柔軟な生地によって全体としてほぼ逆Ｕ字形に形成され、帯状生地は表面布１１と裏面布１２に二つ折りにされている。前記表面布１１は、上着２０のラペル２１の外面に重ね合されるようになっており、裏面布１２は、上着２０のブレスト２２の内面に、ループ部材３１とボタン３２によって係止される。【選択図】図３
0003213672.tif 000002
【実用新案登録請求の範囲】
【請求項１】
表面布と裏面布とに二つ折りにされて帯状に延び、ほぼ逆Ｕ字形状を形成した襟布であって、前記表面布は上着の首廻りからブレストにかけて折り返されたラペルに重ね合せられるようになっており、前記裏面布は上着の首廻り及びブレストの内面に当接し、前記裏面布に設けられた係止具の一方の部材と、前記上着内面に設けられた係止具の他方の部材とを係止することによって前記上着に装着され、かつ前記係止具の係止位置が所定範囲内で移動可能になっている装飾用襟布。
【請求項２】
前記表面布の幅が前記ラペルの幅と異なった幅に形成された請求項１に記載の装飾用襟布。
【請求項３】
前記裏面布に設けられた係止具の一方の部材を前記首廻り及びブレストの内面に設けられた係止具の他方の部材に係止して請求項１または２に記載の装飾用襟布を装着した上着。
【考案の詳細な説明】
【技術分野】
【０００１】
この考案は、背広等の上着に装着される襟布とこの襟布を用いた上着に関する。
【背景技術】
【０００２】
例えば、特許文献１には、背広などの襟のシルエットに倣うように襟の表裏両面を被覆する装飾用襟布が記載されている。しかしながら、この襟布は、襟を挟み込むようになっているため、襟の厚みが大きく増加し外観上不自然な感じを与える欠点がある。それに加えて、襟布を取り付ける手段としてスナップボタンを用い、しかも、襟布の両側縁と、背広本体及び襟の裏面の両方が対応するようにスナップボタンを取り付けているため、非常に高い精度でスナップボタンを取り付けないと、襟布にしわやずれが生じて外観を損う問題がある。
【０００３】
一方、特許文献２には、ジャケットの胴部裏側に重なる部分と、ジャケットの下襟に重なる部分とが折り目を介して一体に形成され、まつり縫いによってジャケットの下襟に装着するようにした襟型パーツが記載されている。しかしながら、この襟型パーツは、ピークドラペル（ｐｅａｋｅｄ  ｌａｐｅｌ）形態のタキシードとして用いる際に、下襟のみに装着されるものであって、用途が限定される。しかも装着されるジャケットの方も、タキシードとして違和感のないものを予め用意しておく必要がある。また、まつり縫いによって装着するため、素人では装着することができないなどの問題がある。
【先行技術文献】
【特許文献】
【０００４】
【特許文献１】特開２００２−１３０１７号公報
【特許文献２】実用新案登録第３１８９３２６号公報
【考案の概要】
【考案が解決しようとする課題】
【０００５】
そこで、この考案の課題は、上着に装着される装飾用襟布にしわや形崩れなどが生じず、違和感なく装飾性を高めることができるようにすることである。
【課題を解決するための手段】
【０００６】
上記の課題を解決するために、この考案は、帯状に延びてほぼ逆Ｕ字形状を形成する装飾用襟布において、この襟布は二つ折りにされた表面布と裏面布より成り、表面布は、上着の首廻りからブレストにかけて折り返されたラペルに重ね合せられるようになっており、裏面布は上着の首廻り及びブレストの内面に当接して、裏面布に設けられた係止具の一方の部材と、上着の内面に設けられた係止具の他方の部材を係止することによって上着に装着され、かつ係止具の係止位置を所定範囲内で移動可能とした構成を採用したのである。
【０００７】
また、前記表面布の幅は、上着のラペルの幅と異なった幅でもよい。
【０００８】
上記のような装飾用襟布を係止具によって上着に取り付けると、装飾性に優れた上着が得られる。
【考案の効果】
【０００９】
この考案によれば、上述のように、襟布の係止具に一定範囲の余裕を持たせたので、上着を身体に着装した際にも、身体の動作に対応してしわや形崩れなどが生じず、外観を維持することができる。さらに、表面布の幅を自由に選択することができるので、表面布のシルエットを自由に設計することが可能となり、デザイン性を向上させることができる。
【図面の簡単な説明】
【００１０】
【図１】襟布の一例を示す正面図、
【図２】図１のII−II線に沿った断面図、
【図３】襟布を上着に装着する様子を示す斜視図、
【図４】襟布を上着に装着した斜視図、
【図５】襟布の他の例を示す正面図、
【図６】図５のVI−VI線に沿った断面図、
【図７】図５の襟布を上着に装着した部分斜視図、
【図８】係止具の例を示す斜視図である。
【考案を実施するための形態】
【００１１】
以下、この考案の実施形態を添付図面に基づいて説明する。図１、図２、図３に示すように、装飾用襟布１０は、帯状の柔軟な生地によって全体としてほぼ逆Ｕ字形に形成され、帯状生地は表面布１１と裏面布１２に二つ折りにされており、背広等の上着２０の首廻りからブレスト（ｂｒｅａｓｔ）２２にかけて設けられたラペル（ｌａｐｅｌ、折り返し襟）２１に装着される。前記表面布１１は、ラペル２１の外面に重ね合されるようになっており、裏面布１２は、上着２０のブレスト２２の内面に、係止具３０（後述する）を用いて装着される。
【００１２】
前記表面布１１の形状（シルエット）は、図３及び図４に示すように、ノッチ２４を有するラペル２１を被うようにそれよりも幅が広く形成されている。しかし表面布１１にはノッチが形成されておらず、これを上着に装着すると、滑らかなカーブを有する広幅の襟を設けた外観を呈し、ビジネススーツと異なった用途に好適なものとなる（図４）。一方、裏面布１２は、襟布１０を装着するためにほぼ同一幅で帯状に表面布１１の全長にわたって延びている。
【００１３】
襟布１０の生地は、編成布、織布、不織布、合成樹脂シート等のいずれでもよく、勿論これらを組合せて用いることができる。そして襟布１０を縫製して作成する際に、首廻りのカーブに適合するように生地を裁断しておく必要がある。さらに、表面布１１と裏面布１２との間のアール状折り目１３やその他の部分に保型性を付与するために、アイロン等によるヒートセット加工を施しておく。これによって概略図１、図３に示すような逆Ｕ字形状の襟布１０が得られる。勿論材料自体が柔軟性を有するものであるから、恒常性を有する形態を示すものではない。
【００１４】
図５、図６、図７に示すように、襟布１０の表面布１１の幅をラペル２１の幅よりも狭くすることができる。また、ピーク（ｐｅａｋ）１４を設けることができる。この襟布１０は、上着２０のラペル２１にもピーク２３が設けられているもの、いわゆるピークドラペルに適する。いま、例えばラペル２１の外周縁が例えばダークブルーに縁取りされている場合に、襟布１０の表面布１１の外周縁に、前記ダークブルーよりも少し薄いブルーの縁取りを形成しておくと、図７のように襟布１０を装着した際に、２色のブルーが段違いに重なり合って極めて興趣のある組合せを現出することができる。
【００１５】
上記のように、襟布１０の表面布１１のサイズは、上着２０のラペル２１と同じでなくてもよく、ラペル２１より大きくても小さくてもよい。またシルエットも任意に設定することができる。さらに色彩や模様も自由に画いてよい。
【００１６】
図８は前記係止具３０の例を示す。図８（Ａ）に示すように、柔軟性のある紐から成るループ部材３１と、ボタン３２によって、係止具３０を形成することができる。また、図８（Ｂ）に示すように、ボタン穴３１ｂを有する柔軟なフラップ３１ａと、ボタン穴３１ｂに挿入して係止することができるボタン３２によって、係止具３０を形成することができる。さらに、図８（Ｃ）に示すように、ループ部材３１と、ループ部材３１を引掛けるフック３３によって、係止具３０を形成することができる。このフック３３の先端返り部３３ａは弾性的にフック本体内面３３ｂとほぼ密着しているのが好ましい。このような係止具３０は、定点係止ではなく、係止個所の３次元的な移動を所定範囲内で許容するようになっている。なお、ループ部材３１またはフラップ３１ａは、裏面布１２または上着２０内面のどちらに固着してもよい。
【００１７】
上記係止具３０は、図１及び図３に示すように、一方の部材であるループ部材３１（または図示しないフラップ３１ａ）を、襟布１０の裏面布１２の外側縁に沿って所定の間隔で固着し、他方の部材であるボタン３２（または図示しないフック３３）を、上着２０のブレスト２２内面及び首廻りに設けられたラペル２１に対応する上着本体の内面に、前記ループ部材３１と対応する位置関係になるよう取り付ける。そして、襟布１０の表面布１１を上着２０のラペル２１外面に重ね合せ、襟布１０の裏面布１２を上着２０の本体内面に当てがって、それぞれ対応するループ部材３１をボタン３２に係止すると、図４及び図７に示すように、襟布１０が上着２０に装着される。このとき、係止具３０には移動の余裕があるため、襟布１０を拘束することが少なく、型付けした襟布１０の形崩れが生じず、身体に上着２０を着装して種々の動作を行なっても同様に形崩れが生じない。しかも襟布１０の装着、取り外しも簡単にでき、取り外した後、係止具が上着の外見を損なう恐れもない。
【００１８】
上記上着２０は、通常の背広のほかに、タキシードやモーニングコート、ブレザーコート、トップコートなどブレスト（ｂｒｅａｓｔ）にラペル（折り返し襟）が設けられているものであればいずれでもよい。またシングルブレストでもダブルブレストでもよい。さらに男性用、女性用を問わない。
【００１９】
この考案に係る襟布１０は、そのシルエットや色彩、模様等を自由にデザインすることができるので、上述のような種々の上着の用途を広げることができるばかりでなく、大きな装飾的付加価値を付与することができる。
【符号の説明】
【００２０】
１０  襟布
１１  表面布
１２  裏面布
１３  折り目
１４  ピーク
２０  上着
２１  ラペル
２２  ブレスト
２３  ピーク
２４  ノッチ
３０  係止具
３１  ループ部材
３１ａ  フラップ
３１ｂ  ボタン穴
３２  ボタン
３３  フック
３３ａ  先端返り部
３３ｂ  フック本体内面
【図１】
0003213672.tif 000003
【図２】
0003213672.tif 000004
【図３】
0003213672.tif 000005
【図４】
0003213672.tif 000006
【図５】
0003213672.tif 000007
【図６】
0003213672.tif 000008
【図７】
0003213672.tif 000009
【図８】
0003213672.tif 000010